(57)【要約】      （修正有）【課題】複数の検査項目に亘り、医用画像の選択の簡便化を図る医用画像処理装置を提供する。【解決手段】医用画像処理装置は、読出部と、表示制御部とを有する。読出部は、複数の検査項目に亘り、複数の画像データを読み出す。表示制御部は、画像データごとの検査項目を表す付帯情報に基づいて、画像データの縮小画像が検査項目ごとに並べられた縮小画像配列を複数の検査項目に亘り表示部に表示させる表示制御部を有する。【選択図】図１
2015167637.tif 000002
【特許請求の範囲】
【請求項１】
複数の検査項目に亘り、複数の画像データを読み出す読出部と、
前記画像データごとの前記検査項目を表す付帯情報に基づいて、前記画像データの縮小画像が前記検査項目ごとに並べられた縮小画像配列を複数の検査項目に亘り表示部に表示させる表示制御部と
を有する医用画像処理装置。
【請求項２】
前記表示制御部は、前記付帯情報に基づいて、前記縮小画像配列における前記検査項目の差異を識別可能な表示態様で前記縮小画像配列を表示部に表示させることを特徴とする請求項１に記載の医用画像処理装置。
【請求項３】
前記表示制御部は、
前記縮小画像配列のうち、所定数の前記縮小画像を表示する表示ウィンドウを表示部に表示させ、
前記所定数より多い数の前記画像データを記憶し、前記表示ウィンドウのスクロールに応じて、記憶する前記画像データを更新する記憶部を含む
ことを特徴とする請求項１又は請求項２に記載の医用画像処理装置。
【請求項４】
請求項１〜３のいずれか１つに記載の医用画像処理装置を備えることを特徴とする医用画像診断装置。
【発明の詳細な説明】
【技術分野】
【０００１】
本発明の実施形態は医用画像処理装置及び医用画像診断装置に関する。
【背景技術】
【０００２】
従来から、Ｘ線ＣＴ（Ｃｏｍｐｕｔｅｄ  Ｔｏｍｏｇｒａｐｈｙ）装置、Ｘ線診断装置、ＭＲＩ（Ｍａｇｎｅｔｉｃ  Ｒｅｓｏｎａｎｃｅ  Ｉｍａｇｉｎｇ）装置、核医学診断装置（ＰＥＴ（Ｐｏｓｉｔｒｏｎ  Ｅｍｉｓｓｉｏｎ  Ｃｏｍｐｕｔｅｄ  Ｔｏｍｏｇｒａｐｈｙ）、ＳＰＥＣＴ（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ）等）、超音波診断装置など、医用画像を撮影するための医用画像診断装置が広く用いられている。
【０００３】
撮影された医用画像は、医用画像処理装置によって表示される。なお、撮影された医用画像を一旦データベースに保管し、所望の医用画像をデータベースから医用画像処理装置にダウンロードするように構成されたシステムも運用されている。
【０００４】
なお、デジタル医用画像に関するＤＩＣＯＭ（Ｄｉｇｉｔａｌ  Ｉｍａｇｉｎｇ  ａｎｄ  Ｃｏｍｍｕｎｉｃａｔｉｏｎ  ｉｎ  Ｍｅｄｉｃｉｎｅ）規格に準拠したシステムにおいては、上位階層の「検査（スタディ）」、中位階層の「シリーズ」、下位階層の「画像」というように、医用画像を階層的に管理している。通常、１つの検査には複数の画像が含まれる。
【０００５】
従来の医用画像処理装置は、検査ごとの検査ＩＤや検査日時などを表すテキスト情報をリスト形式で表示した。そして、医用画像処理装置は、医師等のユーザによるテキスト情報の選択を受け、当該テキスト情報に応じた複数の医用画像の縮小画像を並べて表示（サムネイル表示）した。次に、医用画像処理装置は、ユーザによる縮小画像の選択を受け、当該縮小画像の医用画像を観察用画像として表示した。
【先行技術文献】
【特許文献】
【０００６】
【特許文献１】特開２００８−２２０７６５号公報
【発明の概要】
【発明が解決しようとする課題】
【０００７】
このように、医用画像処理装置が、テキスト情報の選択の後、縮小画像の選択を受けて医用画像を表示する場合、選択ごとに表示ウィンドウが切り替わる。そのため、ユーザが医用画像処理装置に医用画像を表示させる作業は、煩雑であった。また、表示された医用画像がユーザにとって所望の検査の画像でなかった場合、ユーザは、テキスト情報の選択から、作業をやり直していた。この場合においても、ユーザが医用画像処理装置に医用画像を表示させる作業は、煩雑であった。
【０００８】
本発明が解決しようとする課題は、医用画像の選択の簡便化を図る医用画像処理装置を提供することである。
【課題を解決するための手段】
【０００９】
実施形態の医用画像処理装置は、読出部と、表示制御部とを有する。読出部は、複数の検査項目に亘り、複数の画像データを読み出す。表示制御部は、画像データごとの検査項目を表す付帯情報に基づいて、画像データの縮小画像が検査項目ごとに並べられた縮小画像配列を複数の検査項目に亘り表示部に表示させる。
【図面の簡単な説明】
【００１０】
【図１】実施形態に係る医用画像処理装置の構成を表すブロック図。
【図２】実施形態に係る医用画像処理装置の概略を表す模式図。
【図３】実施形態に係る医用画像処理装置の概略を表す模式図。
【図４】実施形態に係る医用画像処理装置の概略を表す模式図。
【図５】実施形態に係る医用画像処理装置の動作を表すフローチャート。
【図６】実施形態に係る医用画像処理装置の動作を表すフローチャート。
【図７】実施形態に係る医用画像診断装置の構成を表すブロック図。
【発明を実施するための形態】
【００１１】
〈医用画像処理装置１の実施形態〉
［構成］
図１は、実施形態の医用画像処理装置１の構成を表すブロック図である。医用画像処理装置１は、医用画像の読影を行うために使用される。医用画像処理装置１は、ＬＡＮ（Ｌｏｃａｌ  Ａｒｅａ  Ｎｅｔｗｏｒｋ）等のネットワークを介して、医用画像診断装置２や医用画像データベース３に接続される。医用画像処理装置１、医用画像診断装置２及び医用画像データベース３は、例えば、ＤＩＣＯＭ規格に準拠したシステムを形成する。
【００１２】
医用画像診断装置２は、それぞれ、Ｘ線診断装置、Ｘ線ＣＴ装置、ＭＲＩ装置、核医学診断装置、超音波診断装置など、医用画像の撮影に用いられる医用画像診断装置２により構成される。医用画像診断装置２により取得された医用画像の画像データは、医用画像データベース３に送信されて記憶される。なお、医用画像診断装置２において、取得された画像データが記憶されてもよい。
【００１３】
医用画像データベース３は、医用画像の画像データを格納する大容量のハードディスクドライブ等の記憶装置と、この記憶装置に記憶される画像データを管理するソフトウェアとを含んで構成される。医用画像データベース３としては、例えば、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）が用いられる。
【００１４】
図２は、医用画像診断装置２又は医用画像データベース３に記憶されている画像データの概略を一の検査項目について表す模式図である。一の検査項目について、シリーズＡ，Ｂ，Ｃ，Ｄの医用画像の画像データ群が記憶されている。シリーズＡの画像データ群は、例えば、医用画像診断装置２による１回のスキャンによって得られた一連の医用画像に相当する。シリーズＡの画像データ群は、この一連の医用画像のそれぞれの画像データＡ１、Ａ２、Ａ３、・・・、Ａｍを含む。同様に、シリーズＢの画像データ群は、一連の医用画像のそれぞれの画像データＢ１、Ｂ２、Ｂ３、・・・、Ｂｎを含む。シリーズＣの画像データ群は、一連の医用画像のそれぞれの画像データＣ１、Ｃ２、Ｃ３、・・・、Ｃｐを含む。シリーズＤの画像データ群は、一連の医用画像のそれぞれの画像データＤ１、Ｄ２、Ｄ３、・・・、Ｄｑを含む。
【００１５】
画像データＡ１、Ａ２、Ａ３、・・・、Ａｍには、それぞれ付帯情報ａ１，ａ２，ａ３，・・・、ａｍが付されている。付帯情報ａ１〜ａｍは、例えば、ＤＩＣＯＭ規格において画像データに付される情報である。付帯情報ａ１〜ａｍは、検査ＩＤ情報、シリーズＩＤ情報、画像データＩＤ情報、モダリティ種別情報、日時情報、患者情報、画像位置情報、撮影条件情報、撮影時相情報、アノテーション情報、計測情報などを含む。
【００１６】
検査ＩＤ情報は、医用画像の撮影についてなされた検査を識別可能な情報である。シリーズＩＤ情報は、画像データが属するシリーズを識別可能な情報である。画像データＩＤ情報は、画像データを識別可能な情報である。
【００１７】
モダリティ種別情報は、Ｘ線ＣＴ装置、ＭＲＩ装置など、画像データを取得したモダリティを識別可能な情報である。日時情報は、画像データが取得された日時を表す情報である。患者情報は、被検体である患者を識別可能な情報である。
【００１８】
画像位置情報は、画像データが取得された位置を表す情報である。例えば、画像位置情報は、モダリティにおいて設定された座標系に基づく情報である。断層画像を表す画像データの場合、画像位置情報は、スキャン方向における断面位置を表す断面位置情報と断面方向を表す断面方向情報とを含む。
【００１９】
撮影条件情報は、画像データが取得されたときのスキャン方法、スライス厚、ウィンドウレベル、ウィンドウ幅などの撮影条件を表す情報である。撮影時相情報は、画像データが取得されたときの時相を表す情報である。撮影時相情報は、例えば、心電同期撮影によって、撮影部位の時間変化を表す画像データが取得されたときに付帯される。
【００２０】
アノテーション情報は、画像データの医用画像に付された矢印、図形、文字等のアノテーションに係る情報である。アノテーション情報は、アノテーションの画像情報、文字情報、アノテーションが付された位置を表す位置情報、アノテーションのサイズを表すサイズ情報等を含む。計測情報は、画像データの医用画像に対して行われた距離、面積、角度等の計測の計測結果を表す情報である。計測情報は、医用画像において計測が行なわれた位置を表す位置情報と、計測によって求められた値を表す数値情報とを含む。
【００２１】
医用画像処理装置１は、医用画像診断装置２により取得された画像データ、又は、医用画像データベース３に保管されている画像データを読み出して、医用画像を表示する。医用画像処理装置１は、読出部１１と、サムネイル画像生成部１２と、表示制御部１３と、システム制御部１４とを有する。なお、医用画像処理装置１は、表示部４及び操作部５に接続される。
【００２２】
（読出部１１）
読出部１１は、複数の検査項目に亘り、複数の画像データを読み出す。検査項目とは、医療検査によって行われる検査である。１つの検査項目は、例えば、ＤＩＣＯＭ規格における１つのスタディ情報として扱われる。読出部１１は、ネットワークを通じて、医用画像データベース３又は医用画像診断装置２から複数の画像データを読み出す。読出部１１は、ＬＡＮカードやモデム等の通信装置を含んで構成される。読出部１１は、読み出した複数の画像データをサムネイル画像生成部１２へ出力する。
【００２３】
（サムネイル画像生成部１２）
サムネイル画像生成部１２は、複数の画像データを読出部１１から受ける。サムネイル画像生成部１２は、画像データの医用画像の縮小画像（サムネイル画像）を表す縮小画像データを、画像データごとに生成する。それにより、複数の縮小画像データが生成される。
【００２４】
（表示制御部１３）
表示制御部１３は、画像データごとの検査項目を表す付帯情報に基づいて、画像データの縮小画像が検査項目ごとに並べられた縮小画像配列を複数の検査項目に亘り表示部４に表示させる。表示制御部１３は、配列部１３１と、表示ウィンドウ設定部１３２と、記憶部１３３とを有する。
【００２５】
（配列部１３１）
配列部１３１は、サムネイル画像生成部１２により生成された複数の縮小画像データのそれぞれの付帯情報を読み、縮小画像データの配列位置を決定する。図３は、縮小画像の配列の概略を表す模式図である。例えば、配列部１３１は、検査ＩＤ情報及びシリーズＩＤ情報を読む。配列部１３１は、一の検査ＩＤ情報を含む付帯情報が付帯された縮小画像データ群のうち、同一のシリーズＩＤ情報を含む付帯情報が付帯された縮小画像データを行方向に並べるように、各縮小画像データの配列位置を決定する。図３の例では、検査項目αを表す検査ＩＤ情報を含む付帯情報が付帯された縮小画像データ群のうち、シリーズαＡを表すシリーズＩＤ情報を含む付帯情報が付帯された縮小画像データαＡ１〜αＡｍを行方向に並べるように、縮小画像データαＡ１〜αＡｍのそれぞれの配列位置が決定されている。同様に、シリーズαＢを表すシリーズＩＤ情報を含む付帯情報が付帯された縮小画像データαＢ１〜αＢｎを行方向に並べるように、縮小画像データαＢ１〜αＢｎのそれぞれの配列位置が決定される。配列部１３１は、シリーズごとにこの決定処理を行う。それにより、一の検査項目に属する縮小画像データにおいて行方向に同一のシリーズを並べた配列が決定される。一の検査項目について決定された配列を小配列と称する。
【００２６】
配列部１３１は、小配列を列方向に並べるように、配列位置を決定する。配列部１３１は、複数の検査項目に亘る縮小画像データが、検査項目ごとに列方向に並べられ、さらに、同一のシリーズに属する縮小画像が行方向に並べられた配列を生成する。
【００２７】
（表示ウィンドウ設定部１３２）
表示ウィンドウ設定部１３２は、縮小画像配列のうち、所定数の縮小画像を表示する表示ウィンドウＷを設定する。表示ウィンドウＷは、表示部４の表示画面において、縮小画像配列が表示される範囲を表す。例えば、表示ウィンドウ設定部１３２は、予め定められた所定数を記憶する。表示ウィンドウ設定部１３２は、縮小画像の縮小率をサムネイル画像生成部１２から受け、該所定数と該縮小率とに基づいて表示ウィンドウＷを設定する。それにより、表示部４の表示ウィンドウＷにおいて、縮小画像配列の部分配列が表示される。
【００２８】
（記憶部１３３）
記憶部１３３は、所定数より多い数の画像データを記憶し、表示ウィンドウＷのスクロールに応じて、記憶する画像データを更新する。図４は、記憶部１３３が記憶する画像データと表示ウィンドウＷとの関係を表す模式図である。記憶部１３３は、所定数より多い数を、縮小画像データの記憶数として予め記憶する。記憶部１３３は、所定数に基づいて、表示ウィンドウＷの端から外側に亘り所定数に含まれる数の縮小画像データの配列位置情報と、表示ウィンドウＷの内側に位置する縮小画像データの配列位置情報とを配列部１３１から読み出す。図４において、記憶部１３３が画像データを読み出した配列位置を網掛けで表す。記憶部１３３は、読み出した配列位置情報に相当する複数の縮小画像データをサムネイル画像生成部１２から読み出し、該複数の縮小画像データを記憶する。記憶部１３３は、表示ウィンドウＷの内側に位置する複数の縮小画像データを表示部４へ出力することにより、これら縮小画像データの縮小画像を表示部４に表示させる。
【００２９】
表示ウィンドウＷがスクロールされると、スクロールされた方向において、新たに表示ウィンドウＷ内に位置し表示される縮小画像と、該方向と反対側の方向において、新たに表示ウィンドウＷの外側に位置し表示されなくなる縮小画像とが生じる。このことは、表示ウィンドウＷがスクロールされることにより、表示ウィンドウＷの端から外側に亘り所定数に含まれる数の縮小画像データの配列位置情報と、表示ウィンドウＷの内側に位置する縮小画像データの配列位置情報とが変化することに相当する。
【００３０】
記憶部１３３は、表示ウィンドウＷのスクロールに応じて、記憶する縮小画像データを更新する。例えば、記憶部１３３は、操作部５を介したスクロール操作がなされたとき、該スクロール操作によるスクロール方向とスクロール量とをシステム制御部１４から受ける。それにより、記憶部１３３は、表示ウィンドウＷの端から外側に亘り所定数に含まれる数の縮小画像データの配列位置情報と、表示ウィンドウＷの内側に位置する縮小画像データの配列位置情報とを配列部１３１から新たに読み出す。
【００３１】
記憶部１３３は、新たに読み出したこれら配列位置情報のうち、新たに含まれた配列位置情報に相当する縮小画像データを読み出す。さらに、記憶部１３３は、記憶していた縮小画像データのうち、新たに読み出した配列位置情報に含まれなくなった配列位置情報に相当する縮小画像データを削除する。このように、記憶部１３３は、表示ウィンドウＷのスクロールに応じて、記憶する画像データを更新する。
【００３２】
なお、記憶部１３３は、スクロールによって、新たに表示ウィンドウＷに含まれた縮小画像データを表示部４に出力することにより、該縮小画像データの縮小画像を表示部４に表示させる。新たに表示ウィンドウＷに含まれた縮小画像データは、表示ウィンドウＷの端から外側に亘り所定数に含まれる数の縮小画像データであるので、スクロール操作がなされる前に、記憶部１３３が記憶している縮小画像データである。また、通常、医用画像に係る縮小画像データの数は多数に亘るので、記憶部１３３が多数の縮小画像データの一部を記憶することにより、スクロール操作に応じて迅速に縮小画像の表示を行うことができる。
【００３３】
なお、表示制御部１３は、付帯情報に基づいて、縮小画像配列における検査項目の差異を識別可能な表示態様で縮小画像配列を表示部４に表示させてもよい。例えば、表示制御部１３は、表示ウィンドウＷにおいて、一の検査項目に係る小配列と他の検査項目に係る小配列との間に、マーカＭを表示させる。表示制御部１３は、表示ウィンドウＷにおいて、隣接する小配列同士の背景色を互いに異なる色で表示させてもよい。
【００３４】
表示制御部１３は、付帯情報に基づいて、縮小画像ごとの付帯情報を、当該付帯情報に重畳又は隣接させて表示させてもよい。例えば、表示制御部１３は、付帯情報のうち、断面位置情報を縮小画像の上部に重畳させて表示させる。それにより、ユーザは、縮小画像を視認しながら、縮小画像ごとの断面位置を把握することができる。
【００３５】
（表示部４）
表示部４は、表示ウィンドウ設定部１３２による表示ウィンドウＷにおいて、記憶部１３３から受けた縮小画像データの縮小画像を表示する。表示部４は、記憶部１３３及び表示ウィンドウ設定部１３２と通信可能に接続される。表示部４は、液晶ディスプレイ、有機ＥＬ（Ｅｌｅｃｔｒｏ−Ｌｕｍｉｎｅｓｃｅｎｃｅ）ディスプレイ等の表示デバイスによって構成される。
【００３６】
（システム制御部１４）
システム制御部１４は、医用画像処理装置１の各部の動作を制御する。システム制御部１４は、医用画像処理装置１の各部を制御するためのコンピュータプログラムを記憶する。システム制御部１４は、このコンピュータプログラムを実行処理することによって、各部の動作を制御する。
【００３７】
（操作部５）
操作部５は、操作者によるスクロール操作、画像選択操作を受けることが可能に構成される。操作部５は、システム制御部１４と通信可能に接続される。操作部５は、キーボード、マウス、トラックボール、ジョイスティック等により構成される。なお、操作部５は、表示部４に表示されたＧＵＩ（Ｇｒａｐｈｉｃａｌ  Ｕｓｅｒ  Ｉｎｔｅｒｆａｃｅ）を含んでもよい。
【００３８】
［動作］
図５は、この実施形態の医用画像処理装置１が縮小画像を表示する動作を表すフローチャートである。
【００３９】
（ステップＳ００１）
読出部１１は、複数の検査項目に亘り、複数の画像データを読み出す。読出部１１は、読み出した複数の画像データをサムネイル画像生成部１２へ出力する。
【００４０】
（ステップＳ００２）
サムネイル画像生成部１２は、複数の画像データを読出部１１から受ける。サムネイル画像生成部１２は、画像データの医用画像の縮小画像（サムネイル画像）を表す縮小画像データを、画像データごとに生成する。
【００４１】
（ステップＳ００３）
配列部１３１は、サムネイル画像生成部１２により生成された複数の縮小画像データのそれぞれの付帯情報を読み出し、縮小画像データの配列位置を決定する。配列部１３１は、複数の検査項目に亘る縮小画像データが、検査項目ごとに列方向に並べられ、さらに、同一のシリーズに属する縮小画像が行方向に並べられた配列を生成する。
【００４２】
（ステップＳ００４）
表示ウィンドウ設定部１３２は、縮小画像配列のうち、所定数の縮小画像を表示する表示ウィンドウＷを設定する。表示ウィンドウ設定部１３２は、縮小画像の縮小率をサムネイル画像生成部１２から受け、該所定数と該縮小率とに基づいて表示ウィンドウＷを設定する。
【００４３】
（ステップＳ００５）
記憶部１３３は、所定数に基づいて、表示ウィンドウＷの端から外側に亘り所定数に含まれる数の縮小画像データの配列位置情報と、表示ウィンドウＷの内側に位置する縮小画像データの配列位置情報とを配列部１３１から読み出す。
【００４４】
（ステップＳ００６）
表示部４は、表示ウィンドウ設定部１３２による表示ウィンドウＷにおいて、記憶部１３３から受けた縮小画像データの縮小画像を表示する。
【００４５】
図６は、縮小画像表示中の医用画像処理装置１の動作を表すフローチャートである。
【００４６】
（ステップＳ１０１）
医用画像処理装置１が、操作部５を介したスクロール操作を受けたとき（ステップＳ１０１；Ｙｅｓ）、ステップＳ１０２へ進む。医用画像処理装置１が、操作部５を介したスクロール操作を受けないとき（ステップＳ１０１；Ｎｏ）、ステップＳ１０１へ戻る。
【００４７】
（ステップＳ１０２）
記憶部１３３は、該スクロール操作によるスクロール方向とスクロール量とをシステム制御部１４から受ける。それにより、記憶部１３３は、表示ウィンドウＷの端から外側に亘り所定数に含まれる数の縮小画像データの配列位置情報と、表示ウィンドウＷの内側に位置する縮小画像データの配列位置情報とを配列部１３１から新たに読み出す。
【００４８】
（ステップＳ１０３）
記憶部１３３は、表示ウィンドウＷのスクロールに応じて、記憶する画像データを更新する。記憶部１３３は、スクロールによって、新たに表示ウィンドウＷに含まれた縮小画像データを表示部４に出力する。
【００４９】
（ステップＳ１０４）
表示部４は、表示ウィンドウ設定部１３２による表示ウィンドウＷにおいて、記憶部１３３から受けた縮小画像データの縮小画像を表示する。
【００５０】
［効果］
実施形態の医用画像処理装置１の効果について説明する。医用画像処理装置１は、読出部１１と、表示制御部１３とを有する。読出部１１は、複数の検査項目に亘り、複数の画像データを読み出す。表示制御部１３は、画像データごとの検査項目を表す付帯情報に基づいて、画像データの縮小画像が検査項目ごとに並べられた縮小画像配列を複数の検査項目に亘り表示部４に表示させる。それにより、ユーザは、複数の検査項目に亘る複数の縮小画像を一覧して視認しながら所望の医用画像を選択することができる。したがって、医用画像の選択の簡便化を図る医用画像処理装置１を提供することができる。
【００５１】
なお、表示制御部１３は、付帯情報に基づいて、縮小画像配列における検査項目の差異を識別可能な表示態様で縮小画像配列を表示部４に表示させてもよい。それにより、ユーザは、検査項目の差異を簡便に識別しながら画像選択を行うことができる。したがって、医用画像の選択の簡便化をさらに図る医用画像処理装置１を提供することができる。
【００５２】
表示制御部１３は、縮小画像配列のうち、所定数の縮小画像を表示する表示ウィンドウＷを表示部４に表示させてもよい。表示制御部１３は、記憶部１３３を含んでもよい。記憶部１３３は、所定数より多い数の画像データを記憶し、表示ウィンドウＷのスクロールに応じて、記憶する画像データを更新する。それにより、スクロール操作に応じて迅速に縮小画像の表示を行う医用画像処理装置１を提供することができる。
【００５３】
〈医用画像診断装置６の実施形態〉
図７は、実施形態の医用画像診断装置６の構成を表すブロック図である。医用画像診断装置６は、医用画像撮影部７と、医用画像処理装置１とを有する。医用画像処理装置１の構成は、上述した実施形態の医用画像処理装置１と同様である。医用画像撮影部７は、Ｘ線ＣＴ装置、Ｘ線診断装置、ＭＲＩ装置、核医学診断装置、超音波診断装置等の各種モダリティの医用画像撮影機能を有する。このような構成の医用画像診断装置６によれば、医用画像を撮影したモダリティにおいても、医用画像の選択の簡便化を図ることができる。
【００５４】
〈実施形態に共通の効果〉
以上述べた実施形態の医用画像処理装置又は医用画像診断装置によれば、縮小画像の配列を複数の検査項目に亘って表示することにより、医用画像の選択の簡便化を図ることが可能となる。
【００５５】
本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５６】
１      医用画像処理装置
２、６      医用画像診断装置
３      医用画像データベース
４      表示部
５      操作部
７      医用画像撮影部
１１    読出部
１２    サムネイル画像生成部
１３    表示制御部
１４    システム制御部
１３１  配列部
１３２  表示ウィンドウ設定部
１３３  記憶部
【図１】
2015167637.tif 000003
【図２】
2015167637.tif 000004
【図３】
2015167637.tif 000005
【図４】
2015167637.tif 000006
【図５】
2015167637.tif 000007
【図６】
2015167637.tif 000008
【図７】
2015167637.tif 000009